(57)【要約】【課題】テレビジョン受像機や録画再生装置等の電子機器が複数存在する場合に，それらを処理の実行を制限するモードへ移行させるために必要な操作を簡略化できること。【解決手段】機能制限モード（チャイルドロックモード，Ｖチップ制限モード或いはペアレンタル制限モード）への移行条件及びその解除条件の成立当否を検知し（Ｓ１０２，Ｓ１０３，Ｓ１０７，Ｓ１０８），その検知結果に従って前記機能制限モードへの移行とその解除とを切り替え（Ｓ１０４，Ｓ１０９），さらに前記検知結果に応じて，ＨＤＭＩインターフェースのＣＥＣラインを通じて他の電子機器に対して前記機能制限モードへの移行を指示するコマンドの送信（Ｓ１０６）や，その解除を指示するコマンドの送信（Ｓ１１１）を実行し，システム全体を一括して前記機能制限モードへ移行させたり，それを解除させたりする。【選択図】図３
2008172747.tif 000002
【特許請求の範囲】
【請求項１】
１又は複数の外部の電子機器と通信を行う通信手段を備えた電子機器であって，
所定の操作部に対する操作に応じた処理の実行を制限する機能制限モードへの移行条件及び前記機能制限モードの解除条件の成立当否を検知する条件検知手段と，
前記条件検知手段の検知結果に従って前記機能制限モードへの移行とその解除とを切り替える機能制限制御手段と，
前記条件検知手段により前記機能制限モードへの移行条件の成立が検知された場合に，前記通信手段を通じて前記外部の電子機器に対して前記機能制限モードへの移行を指示するコマンドを送信する制限コマンド送信手段と，
前記条件検知手段により前記機能制限モードの解除条件の成立が検知された場合に，前記通信手段を通じて前記外部の電子機器に対して前記機能制限モードの解除を指示するコマンドを送信する解除コマンド送信手段と，
を具備してなることを特徴とする電子機器。
【請求項２】
前記条件検知手段が，
所定の操作部に対する予め定められた機能制限操作及び機能制限解除操作がなされたことの検知により前記機能制限モードへの移行条件及び前記機能制限モードの解除条件の成立を検知する第１条件検知手段を具備してなる請求項１に記載の電子機器。
【請求項３】
前記条件検知手段が，
前記外部の電子機器から前記通信手段を通じて入力される情報に基づいて前記機能制限モードへの移行条件及び前記機能制限モードの解除条件の成立を検知する第２条件検知手段を具備してなる請求項１又は２のいずれかに記載の電子機器。
【請求項４】
前記外部の電子機器から所定の信号伝送手段を通じて入力される映像信号に基づいて映像を表示する映像表示手段を具備してなる請求項１〜３のいずれかに記載の電子機器。
【請求項５】
所定の情報記録媒体に記録された映像データに基づく映像信号を所定の信号伝送手段を通じて映像表示手段を備えた前記外部の電子機器に出力する映像再生手段を具備し，
前記条件検知手段が，
前記映像再生手段が再生中又はこれから再生する前記映像データと対応付けられて前記情報記録媒体に記録されている情報に予め設定されたロック対象情報が含まれている場合に前記ロック条件の成立を検知する第３条件検知手段を具備してなる請求項１〜３のいずれかに記載の電子機器。
【請求項６】
入力された放送信号について前記操作部に対する操作に応じて放送チャンネルを選局する選局手段と，
前記選局手段により選局された放送チャンネルで放送中の放送番組である選択放送番組の内容を出力する番組内容出力手段と，
放送番組の出力制限の条件に関する出力制限条件情報を記憶する出力制限条件情報記憶手段と，
前記機能制限モードであるときに，前記放送信号に含まれる前記選択放送番組に関する情報と前記出力制限条件情報とに基づいて前記選択放送番組を前記番組内容出力手段により出力することを制限する番組内容出力制限手段と，
を具備してなる請求項１〜３のいずれかに記載の電子機器。
【請求項７】
前記操作部に対する操作に応じて外部装置から所定の通信媒体を通じてコンテンツを取得するコンテンツ取得手段と，
前記コンテンツ取得手段により取得されたコンテンツを出力するコンテンツ出力手段と，
コンテンツの出力制限の条件に関する出力制限条件情報を記憶する出力制限条件情報記憶手段と，
前記機能制限モードであるときに，前記コンテンツ取得手段により取得されたコンテンツに含まれる情報と前記出力制限条件情報とに基づいて該コンテンツを前記コンテンツ出力手段により出力することを制限するコンテンツ出力制限手段と，
を具備してなる請求項１〜３のいずれかに記載の電子機器。
【請求項８】
前記通信手段が，ＨＤＭＩ規格におけるＣＥＣ規格に準拠したＣＥＣ信号伝送手段である請求項１〜７のいずれかに記載の電子機器。
【発明の詳細な説明】
【技術分野】
【０００１】
本発明は，１又は複数の外部の電子機器と通信を行う通信手段を備えた電子機器に関し，特に，複数の電子機器が存在する場合に，操作部に対する操作に応じた処理の実行を制限する機能制限モードへの移行やその解除のための操作を簡略化できる電子機器に関するものである。
【背景技術】
【０００２】
家庭で利用される電子機器は，幼児などによる誤操作を防止するため，所定の操作部に対する操作に応じた処理の実行を制限する（処理を実行しないことを含む）機能を備えるものが多く，その機能は一般にチャイルドロック機能と呼ばれている。
例えば，特許文献１には，チャイルドロックスイッチをロックするロックモードへ移行した後に誤って電源が切られた場合でも，状況に応じて電源スイッチの入操作を可能とするチャイルドロック装置が示されている。
前記チャイルドロック機能を備えた電子機器は，通常，その操作部に対する所定の操作が検知されるごとに，操作部に対する操作に応じた処理の実行を制限するモードへの移行とその解除とを切り替える。ここで，前記所定の操作とは，例えば，前記電子機器の操作部に設けられた専用キー（チャイルドロックキー）に対する押下操作や，他の機能と兼用される操作キーに対する特殊操作（長押し操作など）などである。
一方，テレビジョン受像機や録画再生装置（例えば，ＤＶＤプレイヤー）などのＡＶ機器（電子機器の一例）は，映像処理や音声処理などに関する各種の調整パラメータの設定機能や録画予約機能など，ユーザの操作入力を通じた情報設定機能を備えるものが多い。このような情報設定機能を備えるＡＶ機器は，幼児などにより誤操作がなされると，適切に設定された調整パラメータの消失や録画予約の情報，或いは録画情報（映像データや音声データ）の消失にもつながりその影響が大きい。さらに，テレビジョン受像機などのＡＶ機器は，幼児向け放送番組や幼児向けビデオ（ＤＶＤ）の鑑賞のためにも用いられることから，幼児が利用することが多い。このため，ＡＶ機器においても，前記チャイルドロック機能のように，操作に対応する処理の実行を制限する機能が設けられることが望ましい。
【０００３】
一方，一般家庭では，１つの部屋の中に複数の電子機器が設置されることが多い。例えば，リビングルームなどにテレビジョン受像機と録画再生装置とが設置されることはごく一般的である。
また，複数の電子機器相互間，例えば，テレビジョン受像機と録画再生装置やセットトップボックス（ＳＴＢ）との間で信号伝送を行う手段の１つとして，特許文献２に示されるように，ＨＤＭＩ規格に準拠した信号伝送手段（以下，ＨＤＭＩインターフェースという）がある。このＨＤＭＩインターフェースは，外観上１本にまとめられたケーブルによってデジタルの映像信号及び音声信号を同時に伝送でき，シンプルな配線と劣化のない信号伝送とを実現できる。ここで，ＨＤＭＩインターフェースは，符号化されていない（非圧縮の）映像信号及び音声信号を伝送（ベースバンド方式で伝送）するため，機器間における信号の符号化方式の違いに影響されず，拡張性及び永続性（将来，新たな符号化方式を採用する機器とも接続できる可能性）に優れている。
また，ＨＤＭＩ規格は，さらにその中でＣＥＣ（Consumer Electronics Control）規格が規定されており，ＨＤＭＩインターフェースは，そのＣＥＣ規格に準拠した信号伝送ライン（以下，ＣＥＣラインという）を内包した信号伝送手段として構成される。このＣＥＣラインを内包するＨＤＭＩインターフェースは，映像信号及び音声信号の伝送に加え，ＣＥＣラインを通じてその他の情報（制御情報など）を伝送することが可能である。なお，ＨＤＭＩインターフェースは，映像信号及び音声信号については一方向にのみ伝送可能であるが，ＣＥＣラインを通じた情報伝送は双方向で可能である。
【特許文献１】特開２０００−８２３５２号公報
【特許文献２】特開２００４−２０８２９０号公報
【発明の開示】
【発明が解決しようとする課題】
【０００４】
ところで，複数の電子機器が配置されている部屋に，幼児など電子機器に対する操作を制限したいユーザが存在する場合に，それら複数の電子機器全てについて，操作に対応する処理の実行を制限するモード（以下，機能制限モードという）へ移行させることが望ましい。なお，前記チャイルドロックモードは，前記機能制限モードの典型例である。
しかしながら，前記特許文献１に示されるように，従来の電子機器は，それ自体に設けられたスイッチ（チャイルドロックスイッチ等）の操作に応じて前記機能制限モードへの移行処理を実行する。このため，複数の電子機器を前記機能制限モードへ移行させたい場合，ユーザは，複数の電子機器それぞれについて前記機能制限モードへの移行操作を行う必要があり，その操作が非常に煩雑であるという問題点があった。
従って，本発明は上記事情に鑑みてなされたものであり，その目的とするところは，テレビジョン受像機や録画再生装置等の電子機器が複数存在する場合に，それらを処理の実行を制限するモードへ移行させるために必要な操作を簡略化できる電子機器を提供することにある。
【課題を解決するための手段】
【０００５】
上記目的を達成するために本発明は，１又は複数の外部の電子機器と通信を行う通信手段を備え，さらに，次の（１）〜（４）に示す構成要素を備えた電子機器である。
（１）所定の操作部に対する操作に応じた処理の実行を制限する（同処理を実行しないことを含む）機能制限モードへの移行条件及び前記機能制限モードの解除条件の成立当否を検知する条件検知手段。
（２）前記条件検知手段の検知結果に従って前記機能制限モードへの移行とその解除とを切り替える機能制限制御手段。
（３）前記条件検知手段により前記機能制限モードへの移行条件の成立が検知された場合に，前記通信手段を通じて前記外部の電子機器に対して前記機能制限モードへの移行を指示するコマンドを送信する制限コマンド送信手段。
（４）前記条件検知手段により前記機能制限モードの解除条件の成立が検知された場合に，前記通信手段を通じて前記外部の電子機器に対して前記機能制限モードの解除を指示するコマンドを送信する解除コマンド送信手段。
なお，前記外部の電子機器は，前記コマンドに応じて前記機能制限モードへの移行やその解除を行うものである。また，前記チャイルドロックモードは，前記機能制限モードの典型例である。
以上の構成要素を備えた電子機器は，自らが前記機能制限モードへ移行又はその解除を行う際に，前記通信手段を通じて他の電子機器（前記外部の電子機器）に対しても前記機能制限モードへの移行を指示し，その指示に応じて前記外部の電子機器も，前記機能制限モードへ移行又はその解除を行う。
これにより，ユーザは，複数の電子機器が通信可能に接続されたシステム全体のうち，いずれかの電子機器に対して前記機能制限モードへの移行又はその解除のための操作を行えば，前記システム全体が一括して前記機能制限モードの状態やその解除状態となる。
【０００６】
また，前記条件検知手段の例としては，以下のような例が考えられる。
例えば，前記条件検知手段が，所定の操作部に対する予め定められた機能制限操作及び機能制限解除操作がなされたことの検知により，前記機能制限モードへの移行条件及び前記機能制限モードの解除条件の成立を検知する第１条件検知手段を備える例が考えられる。
これにより，当該電子機器に対する操作のみによって，当該電子機器と前記通信手段により通信可能な前記外部の通信機器とが，一括して前記機能制限モードの状態とその解除状態とに切り替わる。例えば，当該電子機器がテレビジョン受像機であり，前記外部の電子機器が録画再生装置やセットトップボックス等である場合，ユーザは，前記テレビジョン受像機以外の機器に対する操作を意識しなくてよい。
また，前記条件検知手段が，前記外部の電子機器から前記通信手段を通じて入力される情報に基づいて前記機能制限モードへの移行条件及び前記機能制限モードの解除条件の成立を検知する第２条件検知手段を備える例も考えられる。
これにより，前記外部の電子機器において前記機能制限モードへの移行又はその解除を行うべき事象が生じた場合に，当該電子機器がその旨の情報を受信し，当該電子機器が主導してシステム全体を前記機能制限モードは移行させたりそれを解除させたりする制御を行うことができる。ここで，前記機能制限モードへの移行を行うべき事象としては，例えば，前記外部の電子機器がＤＶＤプレイヤー等の映像再生装置である場合に，ＤＶＤ等の情報記録媒体に，再生中又はこれから再生する映像データが幼児向けの映像データである旨の情報が記録されていること等である。
なお，本発明に係る電子機器は，例えば，前記外部の電子機器から所定の信号伝送手段を通じて入力される映像信号に基づいて映像を表示する映像表示手段を具備するもの，即ち，映像表示装置であることが考えられる。
一方，本発明に係る電子機器が映像再生装置である場合も考えられる。
即ち，本発明に係る電子機器が，所定の情報記録媒体に記録された映像データに基づく映像信号を所定の信号伝送手段を通じて映像表示手段を備えた前記外部の電子機器に出力する映像再生手段を具備する場合である。  この場合，前記条件検知手段が，前記映像再生手段が再生中又はこれから再生する前記映像データと対応付けられて前記情報記録媒体に記録されている情報に予め設定されたロック対象情報（例えば，前記映像データが幼児向けのデータである旨の情報等）が含まれている場合に前記ロック条件の成立を検知する第３条件検知手段を具備することが考えられる。
また，前記通信手段としては，昨今，電子機器相互間を接続するための汎用的な通信手段として普及しつつあるＨＤＭＩ規格におけるＣＥＣ規格に準拠したＣＥＣ信号伝送手段が考えられる。
前記ＣＥＣ信号伝送手段は，これを備えた電子機器がその多くの部品に通電がなされていない状態（いわゆる待機状態）である場合にも通信可能な状態を維持している。このため，前記外部の電子機器が前記待機状態であっても，前記機能制限モードへの移行及びその解除を一括して行う制御を有効な状態に維持できる。
【０００７】
また，本発明に係る電子機器における前記機能制限モードであるときの制限機能の具体例としては，特定の操作部（電源キーや録画キーなど）に対する操作に応じた処理の実行を制限するいわゆるチャイルドロック機能の他，所定の操作に応じて出力対象（映像出力や音声出力を行う対象）として特定（選択）されたコンテンツ（放送番組やＷｅｂページなど）が，事前に設定された制限条件を満たすものである場合にそのコンテンツの出力を制限するいわゆるＶチップ機能やペアレンタルコントロール機能なども考えられる。
例えば，本発明に係る電子機器が，以下の（５）〜（８）に示す各構成要素をさらに備えることにより，複数の機器についていわゆるＶチップ機能を一括設定できる電子機器（放送信号受信装置）を実現できる。
（５）入力された放送信号について前記操作部に対する操作に応じて放送チャンネルを選局する選局手段。
（６）前記選局手段により選局された放送チャンネルで放送中の放送番組である選択放送番組の内容を出力する番組内容出力手段。
（７）放送番組の出力制限の条件に関する出力制限条件情報を記憶する出力制限条件情報記憶手段。
（８）前記機能制限モードであるときに，前記放送信号に含まれる前記選択放送番組に関する情報と前記出力制限条件情報とに基づいて前記選択放送番組を前記番組内容出力手段により出力することを制限する番組内容出力制限手段。
【０００８】
また，本発明に係る電子機器が，以下の（９）〜（１２）に示す各構成要素をさらに備えることにより，複数の機器についていわゆるペアレンタルコントロール機能を一括設定できる電子機器を実現できる。
（９）前記操作部に対する操作に応じて外部装置から所定の通信媒体を通じてコンテンツを取得するコンテンツ取得手段。
（１０）前記コンテンツ取得手段により取得されたコンテンツを出力するコンテンツ出力手段。
（１１）コンテンツの出力制限の条件に関する出力制限条件情報を記憶する出力制限条件情報記憶手段。
（１２）前記機能制限モードであるときに，前記コンテンツ取得手段により取得されたコンテンツに含まれる情報と前記出力制限条件情報とに基づいて該コンテンツを前記コンテンツ出力手段により出力することを制限するコンテンツ出力制限手段。
【発明の効果】
【０００９】
本発明に係る電子機器は，自らが前記機能制限モードへ移行又はその解除を行う際に，通信手段を通じて通信可能な外部の電子機器に対しても，前記機能制限モードへ移行又はその解除がなされるよう制御する。即ち，ユーザは，複数の電子機器が通信可能に接続されたシステム全体のうち，いずれかの電子機器に対して前記機能制限モードへの移行又はその解除のための操作を行うだけで，前記システム全体を一括して前記機能制限モードの状態やその解除状態に切り替えることができる。その結果，複数の電子機器が存在する場合に，それらを前記機能制限モードへ移行させたりそれを解除したりするために必要な操作が簡略化され，電子機器の操作性が向上する。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る電子機器の一例であるテレビジョン受像機Ｘ及び録画再生装置Ｙを含むＡＶシステムＺの概略構成を表すブロック図，図２はテレビジョン受像機Ｘが備えるリモコンのキー配置の一例を表す図，図３はＡＶシステムＺにおけるチャイルドロック処理の手順を表すフローチャートである。
【００１１】
まず，図１に示すブロック図を用いて，本発明の実施形態に係る電子機器の一例であるテレビジョン受像機Ｘ及び録画再生装置を含むＡＶシステムＺの構成について説明する。
前記ＡＶシステムＺは，映像表示部５を備えるテレビジョン受像機Ｘと録画機能及び再生機能を備える複数（図１では２台）の録画再生装置Ｙとが，ＨＤＭＩ規格に準拠した信号伝送手段であるＨＤＭＩインターフェースＷによって通信可能に構成されたシステムである。ここで，ＨＤＭＩインターフェースＷは，映像信号及び音声信号（いずれもデジタル信号）を伝送するＴＭＤＳ（Transition Minimized Differential Signaling）ライン４１と，ＨＤＭＩ規格のオプション規格であるＣＥＣ規格に準拠したＣＥＣライン４２を含んでいる。なお，ＴＭＤＳライン４１は，複数本の信号ラインにより構成され，ＴＭＤＳライン４１及びＣＥＣライン４２は，見かけ上１本のＨＤＭＩケーブル４０として構成されている。
前記テレビジョン受像機Ｘ及び前記録画再生装置Ｙは，その操作部に対する操作が検知された場合に，その操作に応じた処理を実行しない（処理の実行を制限することの一例）状態であるチャイルドロックモード（前記機能制限モードの一例）へ移行したり，その状態を解除したりするチャイルドロック機能を備えている。
そして，前記ＡＶシステムＺの特徴は，前記テレビジョン受像機Ｘ又は前記録画再生装置Ｙのいずれかに対して前記チャイルドロックモードへの移行又はその解除のための操作が行われた場合に，前記ＨＤＭＩインターフェースＷ（通信手段の一例）を通じて情報伝送を行うことにより，前記ＡＶシステム全体が一括して前記チャイルドロックモードへの移行やその解除が行われる点である。その詳細については後述する。
【００１２】
［テレビジョン受像機Ｘ］
前記テレビジョン受像機Ｘは，図１に示すように，チューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２，スピーカ１３，通電切替回路１４及びロック通知部１５等を具備して構成されている。
【００１３】
前記チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を映像切替回路３及び音声切替回路１０各々へ伝送するものである。
また，前記ＨＤＭＩ受信部２ｘａ，２ｙａ（図中，ＨＤＭＩ−ＲＸと表記）は，ＨＤＭＩ規格に準拠した信号伝送インターフェースである。このＨＤＭＩ受信部２ｘａ，２ｙａは，ＴＭＤＳライン４１を通じて，外部装置（ここでは，録画再生装置Ｙ）からベースバンド方式で映像信号及び音声信号を入力し，それらを映像切替回路３及び音声切替回路１０各々へ伝送する。
前記ＣＥＣインターフェース２ｘｂ（ＣＥＣ信号伝送手段に相当）は，ＨＤＭＩ規格におけるＣＥＣ規格に準拠した信号伝送インターフェースである。このＣＥＣインターフェース２ｘｂは，ＣＥＣライン４２を通じて，外部装置（ここでは，録画再生装置Ｙ）との間で情報の送受信を行う。ＣＥＣインターフェース２ｘｂの受信情報の直接の伝送先及び送信情報の直接の供給元は，サブＭＰＵ９である。
図１に示す例では，テレビジョン受像機Ｘは，２台の録画再生装置Ｚ（外部装置）それぞれに対応する２つのＨＤＭＩ受信部２ｘａ，２ｙａを備えている。また，ＣＥＣインターフェース２ｘｂは，２台の録画再生装置Ｚに対して１つだけ設けられている。
前記映像切替回路３は，チューナ１及びＨＤＭＩ受信部２ｘａ，２ｙａからの映像信号を入力し，それらの映像信号のうちの任意の１つの映像信号を制御回路６からの指示に従って選択して出力するものである。
前記映像処理回路４は，映像切替回路３から出力された映像信号に対して各種信号処理を行うものである。例えば，映像処理回路４は，映像切替回路３からの映像信号に，制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，映像処理回路４から出力される映像信号に基づく映像を表示するものである。なお，前記映像表示部５が，外部の電子機器である前記録画再生装置Ｙから前記ＴＭＤＳライン４１を通じて入力される映像信号に基づいて映像を表示する前記映像表示手段の一例である。
【００１４】
前記音声切替回路１０は，チューナ１からの音声信号及びＨＤＭＩ受信部２ｘａ，２ｙａからの音声信号が入力され，それらの音声信号のうちの任意の１つの音声信号を，制御回路６からの指示に従って音声処理回路１１に出力するものである。
前記音声処理回路１１は，音声切替回路１０から出力された信号に対し，イコライズ処理やＤ／Ａ変換処理等を行うものである。
前記アンプ１２は，音声処理回路１１による処理後の音声信号を，制御回路６からの指示に従って増幅或いは減衰させる処理（ボリューム調節処理）を行い，スピーカ１３に出力するものである。
ここで，前記チューナ１ａ〜１ｃ，前記映像切替回路３，前記映像処理回路４，前記映像表示部５，前記音声切替回路１０，前記音声処理回路１１及び前記アンプ１２は，映像及び音声を出力する処理を行う機器であり，以下，これらを総称して出力機器という。
また，前記ロック通知部１５は，当該テレビジョン受像機Ｘが，前記チャイルドロックモードの状態である場合に，その旨をユーザに通知するものであり，ＬＥＤランプ及びそのＬＥＤランプの駆動回路を備えている。
【００１５】
前記通電切替回路１４は，不図示の電源回路が商用電源に接続された状態において，前記サブＭＰＵ９からの制御指令に従って，本テレビジョン受像機Ｘの通電状態を「稼動状態」から「待機状態」へ，又は前記「待機状態」から前記「稼動状態」へ切り替える回路である。
ここで，前記待機状態とは，前記ＨＤＭＩインターフェースＷを構成する機器，前記リモコンインターフェース回路７及び前記サブＭＰＵ９に対する電力供給は行われているが，前記制御回路８及び前記出力機器に対する電力供給が行われていない状態である。
一方，前記稼動状態とは，前記リモコンインターフェース回路７，前記通電切替回路１４，前記制御回路８及び前記出力機器に対する電力供給が行われている状態である。
前記制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。この制御回路６は，ＭＰＵ６ａがＲＯＭ６ｂに記憶されたプログラムを実行することによって各種の処理を実行する。
前記サブＭＰＵ９は，制御回路６と，リモコンインターフェース回路７及びＣＥＣインターフェース２ｘｂとの間で情報伝送を中継する処理を実行するマイクロコンピュータである。さらに，前記サブＭＰＵ９は，前記リモコンインターフェース回路７を通じて得られる情報（前記リモコン８に対する操作の情報）に基づいて，当該テレビジョン受像機Ｘを前記チャイルドロックモードとその解除モードとのいずれかに切り替える処理（チャイルドロック処理）も実行する。その詳細は後述する。なお，このサブＭＰＵ９は，不図示のＲＯＭに予め記憶されたプログラムを実行することによって各種の処理を実行する。
【００１６】
前記リモコン８は，当該テレビジョン受像機Ｘの動作の制御用の無線信号（例えば，赤外線信号）を出力するリモート操作器であり，図２に示す総キー（操作入力部）や無線信号出力回路等を備えている。
図２に前記リモコン８のキー配置の一例を示す。
前記リモコン８は，図２に示すように，電源キー８ａ，数字キー８ｂ，音量キー８ｃ，順次選局キー８ｄ，ロックキー８ｅ等の複数の操作キーを有している。
前記電源キー８ａは，当該テレビジョン受像機Ｘを前記待機状態と前記稼動状態とのいずれの状態にするかを切り替えるための操作キーである。
前記数字キー８ｂは，複数の放送チャンネルの番号に対応した複数の操作キー（「１」〜「１２」の数字キー）であり，前記映像表示部５に表示させる番組映像の放送チャンネルを切り替えるための操作キーである。
前記音量キー８ｃは，音量の大小を調節するための操作キーである。
前記順次選局キー８ｄは，放送チャンネルを１チャンネルずつ順次切り替えるための操作キーである。
前記ロックキー８ｅは，前記テレビジョン受像機Ｘの状態を前記チャイルドロックモードの状態にするか，その解除状態にするかを切り替えるための操作キーである。
前記リモコン８は，これらの操作キーが操作された場合に，その操作に応じた無線信号を出力する。
一方，リモコンインターフェース回路７は，リモコン８から伝送される無線信号（赤外線信号等）を受信し，これを電気信号に変換することにより，リモコン８から伝送される各種情報を取得するとともに，その取得情報をサブＭＰＵ９に伝送するものである。
【００１７】
［録画再生装置Ｙ］
前記録画再生装置Ｙは，図１に示すように，チューナ２１，録画・再生回路２２，ＨＤＤ２３ａ（ハードディスクドライブ），ＤＶＤドライブ２３ｂ，ＨＤＭＩ送信部２５ａ，ＣＥＣインターフェース２５ｂ，制御回路２４，リモコンインターフェース回路２６，リモコン２７，サブＭＰＵ２８，通電切替回路２９及びロック通知部３０等を具備して構成されている。
ここで，チューナ２１，リモコンインターフェース回路２６，リモコン２７，サブＭＰＵ２８，通電切替回路２９及びロック通知部３０は，それぞれテレビジョン受像機Ｘにおけるチューナ１，リモコンインターフェース回路７，リモコン８，サブＭＰＵ９，通電切替回路１４及びロック通知部１５と同様のものである。
なお，前記録画再生装置Ｙにおける前記待機状態とは，前記ＨＤＭＩインターフェースＷを構成する機器（前記ＨＤＭＩ送信部２５ａ及びＣＥＣインターフェース２５ｂ），前記リモコンインターフェース回路２６及び前記サブＭＰＵ２８に対する電力供給は行われているが，前記チューナ２１，前記録画・再生回路２２，前記ＨＤＤ２３ａ，前記ＤＶＤドライブ２３ｂ及び前記制御回路２４に対する電力供給が行われていない状態である。
【００１８】
前記録画・再生回路２２は，放送番組の録画処理及び録画番組の再生処理を実行するものである。即ち，録画・再生回路２２は，チューナ２１により抽出された番組の放送信号（映像信号及び音声信号）を圧縮符号化してＨＤＤ２３ａ或いはＤＶＤドライブ２３ｂにセットされたＤＶＤ（光ディスク）に記録する録画処理を実行する。さらに，録画・再生回路２２は，ＨＤＤ２３ａ又はＤＶＤドライブ２３ｂにセットされたＤＶＤに録画（記録）された放送番組のデータを復号化しながらＨＤＭＩ送信部２５ａを通じて外部出力する再生処理を実行する。
なお，前記録画・再生回路２２が，情報記録媒体（ＤＶＤ又はハードディスク）に記録された映像データに基づく映像信号を，信号伝送手段である前記ＨＤＭＩ送信部２５ａを通じて，映像表示部５を備えた前記テレビジョン受像機Ｘ（前記外部の電子機器の一例）に出力する前記映像再生手段の一例である。
前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，ＴＭＤＳライン４１を通じて，外部装置（ここでは，テレビジョン受像機Ｘ）に対し，ベースバンド方式で映像信号及び音声信号を出力する。
前記ＣＥＣインターフェース２５ｂは，テレビジョン受像機ＸにおけるＣＥＣインターフェース２ｘｂと同様に，ＨＤＭＩ規格におけるＣＥＣ規格に準拠した信号伝送インターフェースである（ＣＥＣ信号伝送手段に相当）。このＣＥＣインターフェース２５ｂは，ＣＥＣライン４２を通じて，外部装置（ここでは，テレビジョン受像機Ｘ）との間で情報の送受信を行う。ＣＥＣインターフェース２５ｂの受信情報の直接の伝送先及び送信情報の直接の供給元は，サブＭＰＵ２８である。
前記制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。この制御回路２４は，ＭＰＵ２４ａがＲＯＭ２４ｂに記憶されたプログラムを実行することにより各種の処理を実行する。
【００１９】
ところで，前記テレビジョン受像機Ｘにおける前記サブＭＰＵ９及び前記録画再生装置Ｙにおける前記サブＭＰＵ２８は，それぞれの前記リモコン８，２７の操作キーに対する操作があったことが検知された場合に，その時点で自装置が前記チャイルドロックモードの状態であるか否かに応じて，検知した操作に応じた処理の実行を行うか否かを制限する機能を備えている。以下，前記チャイルドロックモードの状態であること及びその解除状態であることを，それぞれチャイルドロックＯＮ状態及びチャイルドロックＯＦＦ状態という。なお，前記サブＭＰＵ９，２８は，前記リモコンインターフェース回路７，２６を通じて入力される情報に基づいて，前記リモコン８，２７においてどのような操作が行われたかを検知する。
また，前記サブＭＰＵ９，２８は，その主メモリにＯＮ値又はＯＦＦ値のいずれかを表す情報であるモードフラグ情報を記憶しており，そのモードフラグ情報がＯＮ値であるかＯＦＦ値であるかにより，前記チャイルドロックＯＮ状態であるか前記チャイルドロックＯＦＦ状態であるかを判別する。
【００２０】
以下，前記チャイルドロックＯＮ状態及び同ＯＦＦ状態である場合において，前記サブＭＰＵ９，２８が前記ロックキー８ｅ以外の操作キーの操作を検知したときの処理について説明する。なお，便宜上，図２に示す前記リモコン８の各操作キー及びその符号と，前記録画再生装置Ｙのリモコン２７が備える操作キー及びその符号とは同じものとして記載する。
＜電源キーの操作に対する処理＞
前記サブＭＰＵ９，２８は，前記チャイルドロックＯＦＦ状態である場合，前記リモコン８，２７の前記電源キー８ａの操作を検知するごとに電源のＯＮ／ＯＦＦ切り替え処理，即ち，前記通電切替回路１４，２９を制御することによって前記稼動状態から前記待機状態へ，又は前記待機状態から前記稼動状態への切り替え処理を行う。
一方，前記サブＭＰＵ９，２８は，前記チャイルドロックＯＮ状態である場合は，前記リモコン８，２７の前記電源キー８ａの操作を検知しても，それに応じた処理を行わない（無視する）。これにより，通電状態が不用意に切り替えられることが防止される。
【００２１】
＜電源キー及びロックキー以外の操作に対する処理＞
また，前記サブＭＰＵ９，２８は，前記電源キー８ａ及び前記ロックキー８ｅ以外の操作キーの操作を検知した場合，そのとき前記稼動状態であって，かつ，前記チャイルドロックＯＦＦ状態であるときは，検知した操作キーの情報を前記制御回路６，２４に引き渡す。
これにより，前記制御回路６，２４は，前記サブＭＰＵ９，２８から引き渡された情報に応じた処理を実行する。
例えば，前記稼動状態であるテレビジョン受像機Ｘにおいて，前記制御回路６は，前記サブＭＰＵ９から前記数字キー８ｂの情報が引き渡された場合，その数字に対応する放送チャンネルを選局する処理を実行する。このことは，前記録画再生装置Ｙにおいても同様である。
これに対し，前記サブＭＰＵ９，２８は，前記電源キー８ａ及び前記ロックキー８ｅ以外の操作キーの操作を検知した場合，そのとき前記稼動状態であっても，前記チャイルドロックＯＮ状態であるときは，検知した操作キーに対応する処理は実行しない（操作は無視する）。
また，前記サブＭＰＵ９，２８は，前記電源キー８ａ及び前記ロックキー８ｅ以外の操作キーの操作を検知した場合，そのとき前記待機状態であるときは，前記チャイルドロックの状態に関わらず，検知した操作に応じた処理を行わない（操作は無視する）。
以上が，前記チャイルドロックＯＮ状態及び同ＯＦＦ状態それぞれにおける，操作キーに対する操作がなされたときの処理の概要である。
以下，前記チャイルドロックＯＮ状態と前記チャイルドロックＯＦＦ状態とを切り替える前記チャイルドロック処理について説明する。
【００２２】
次に，図３に示すフローチャートを参照しつつ，ＡＶシステムＺにおける前記チャイルドロック処理の手順について説明する。なお，以下に示すＳ１０１，Ｓ１０２，…は，処理手順（ステップ）の識別符号を表す。
前記チャイルドロック処理は，前記テレビジョン受像機Ｘと前記録画再生装置Ｙとが，ＨＤＭＩインターフェースＷを通じて情報の授受を行いつつ実行する処理である。以下，先にテレビジョン受像機Ｘ側の処理について説明し，続けて録画再生装置Ｙ側の処理について説明する。
【００２３】
まず，前記チャイルドロック処理におけるテレビジョン受像機Ｘ側の処理について説明する。
［ステップＳ１０１］
テレビジョン受像機Ｘにおいて，まず，前記サブＭＰＵ９は，その時点における当該テレビジョン受像機Ｘが，チャイルドロックモードである状態（ＯＮ状態）であるかその解除状態（ＯＦＦ状態）であるかを判別する（Ｓ１０１）。ここで，前記サブＭＰＵ９は，その主メモリに記憶されたモードフラグ情報がＯＮ値であるかＯＦＦ値であるかによって前記ＯＮ状態であるか前記ＯＦＦ状態であるかを判別する。なお，前記モードフラグ情報の初期値は，チャイルドロックモードの解除状態に対応するＯＦＦ値である。
【００２４】
［ステップＳ１０２，Ｓ１０３］
そして，前記サブＭＰＵ９は，チャイルドロックモードの前記ＯＦＦ状態である（前記ＯＮ状態ではない）と判別した場合，チャイルドロックモードへの移行条件である次の２つの条件（第１ロック条件及び第２ロック条件）のいずれかが成立したか否かを検知する処理を実行し，その条件のいずれかの成立が検知されるまでその処理を繰り返す（Ｓ１０２，Ｓ１０３：前記条件検知手段の一例）。
前記第１ロック条件は，前記リモコン８の操作部の１つである前記ロックキー８ｅに対する長押し操作（前記予め定められた機能制限操作の一例）がなされたという条件である。ここで長押し操作とは，予め定められた時間（例えば２〜５秒程度）継続して操作キーを押下し続ける操作のことである。前記サブＭＰＵ９は，前記リモコンインターフェース回路７を通じて，前記ロックキー８ｅに対応する信号が一定時間以上継続して入力されるか否かにより，前記ロックキー８ｅの長押し操作の有無を検知する。なお，この第１ロック条件を検知する前記サブＭＰＵ９が，前記第１条件検知手段の一例である。
前記第２ロック条件は，前記録画再生装置Ｙ（前記外部の電子機器の一例）から前記ＣＥＣライン４２及び前記ＣＥＣインターフェース２ｘｂ（前記通信手段及び前記ＣＥＣ伝送手段の一例）を通じてチャイルドロックモードへの移行を指示するコマンド（以下，チャイルドロックモードＯＮ指令コマンドという）が入力さたという条件である。なお，この第２ロック条件を検知する前記サブＭＰＵ９が，前記第２条件検知手段の一例である。
【００２５】
［ステップＳ１０４〜Ｓ１０６］
そして，前記サブＭＰＵ９は，前記チャイルドロックモードへの移行条件のいずれかの成立を検知すると，その主メモリに記憶されている前記モードフラグ情報の値を，チャイルドロックモードのＯＮ状態を表すＯＮ値に設定（更新）する（Ｓ１０４）。その結果，当該テレビジョン受像機Ｘは，前記チャイルドロックモードＯＮ状態となり，これ以後，前記サブＭＰＵ９は，前述したように，前記ロックキー８ｅ以外の操作キーに対する操作を検知しても，それに対応する処理を実行しない（無視する）。
さらに，前記サブＭＰＵ９は，前記ロック通知部１５を制御することにより，前記チャイルドロックモードＯＮ状態であることを通知するＬＥＤランプを点灯させる（Ｓ１０５）。
さらに，前記サブＭＰＵ９は，前記ＣＥＣラインを通じて，このＣＥＣラインにより接続されている全ての外部の電子機器（この実施形態では，２台の前記録画再生装置Ｙ）に対し，前記チャイルドロックモードへの移行を指示するコマンドであるチャイルドロックモードＯＮ指令コマンドを送信する（Ｓ１０６）。
このように，前記サブＭＰＵ９は，ステップＳ１０２又はＳ１０３において前記チャイルドロックモードへの移行条件の成立を検知した場合に，ＨＤＭＩ規格におけるＣＥＣ規格に準拠した信号伝送手段であるＣＥＣライン４２を通じて外部の電子機器（録画再生装置Ｙ）に対して前記チャイルドロックモードＯＮ指令コマンド送信する（Ｓ１０６，制限コマンド送信手段の一例）。そのコマンドを受信した前記録画再生装置Ｙは，後述するように，前記チャイルドロックモードへ移行する（Ｓ２０８）。その結果，ＡＶシステムＺを構成する各機器が，一括して前記チャイルドロックモードに移行した状態となる。
【００２６】
［ステップＳ１０７，Ｓ１０８］
一方，前記サブＭＰＵ９は，ステップＳ１０１において前記チャイルドロックモードＯＮ状態であると判別した場合，或いは前記ステップＳ１０６の処理を実行した後に，チャイルドロックモードの解除条件である次の２つの条件（第１解除条件及び第２解除条件）のいずれかが成立したか否かを検知する処理を実行し，その条件のいずれかの成立が検知されるまでその処理を繰り返す（Ｓ１０７，Ｓ１０８：前記条件検知手段の一例）。
前記第１解除条件は，前記リモコン８の操作部の１つである前記ロックキー８ｅに対する長押し操作（前記予め定められた機能制限解除操作の一例）がなされたという条件である。その検知処理は，ステップＳ１０２の処理と同じである。なお，この第１解除条件を検知する前記サブＭＰＵ９が，前記第１条件検知手段の一例である。
また，前記第２解除条件は，前記録画再生装置Ｙ（前記外部の電子機器の一例）から前記ＣＥＣライン４２及び前記ＣＥＣインターフェース２ｘｂ（前記通信手段及び前記ＣＥＣ伝送手段の一例）を通じてチャイルドロックモードの解除を指示するコマンド（以下，チャイルドロックモードＯＦＦ指令コマンドという）が入力さたという条件である。なお，この第２解除条件を検知する前記サブＭＰＵ９が，前記第２条件検知手段の一例である。
【００２７】
［ステップＳ１０９〜Ｓ１１１］
そして，前記サブＭＰＵ９は，前記チャイルドロックモードの解除条件のいずれかの成立を検知すると，その主メモリに記憶されている前記モードフラグ情報の値を，チャイルドロックモードのＯＦＦ状態を表すＯＦＦ値に設定（更新）する（Ｓ１０９）。その結果，当該テレビジョン受像機Ｘは，前記チャイルドロックモードＯＦＦ状態となり，これ以後，前記サブＭＰＵ９は，前述したように，前記ロックキー８ｅ以外の操作キーに対する操作を検知した場合，検知した操作に対応する処理を実行する状態となる。
さらに，前記サブＭＰＵ９は，前記ロック通知部１５を制御することにより，前記チャイルドロックモードＯＮ状態であることを通知するＬＥＤランプを消灯させる（Ｓ１１０）。
さらに，前記サブＭＰＵ９は，前記ＣＥＣラインを通じて，このＣＥＣラインにより接続されている全ての外部の電子機器（この実施形態では，２台の前記録画再生装置Ｙ）に対し，前記チャイルドロックモードの解除を指示するコマンドであるチャイルドロックモードＯＦＦ指令コマンドを送信する（Ｓ１１１）。
【００２８】
以上に示したように，前記サブＭＰＵ９は，前記チャイルドロックモードへの移行条件の検知（Ｓ１０２，Ｓ１０３）及びその解除条件の検知（Ｓ１０７，Ｓ１０８）の結果に従って，前記チャイルドロックモード（機能制限モードの一例）への移行（Ｓ１０４）とその解除（Ｓ１０９）とを切り替える（前記機能制限制御手段の一例）。
また，前記サブＭＰＵ９は，ステップＳ１０７又はＳ１０８において前記チャイルドロックモードの解除条件の成立を検知した場合に，ＨＤＭＩ規格におけるＣＥＣ規格に準拠した信号伝送手段であるＣＥＣライン４２を通じて外部の電子機器（録画再生装置Ｙ）に対して前記チャイルドロックモードＯＦＦ指令コマンド送信する（Ｓ１１１，解除コマンド送信手段の一例）。そのコマンドを受信した前記録画再生装置Ｙは，後述するように，前記チャイルドロックモードの解除処理（Ｓ２１２）を実行する。その結果，ＡＶシステムＺを構成する各機器が，一括して前記チャイルドロックモードの解除状態となる。
【００２９】
次に，前記チャイルドロック処理における録画再生装置Ｙ側の処理について説明する。
［ステップＳ２０１］
録画再生装置Ｙにおいて，まず，前記サブＭＰＵ２８は，その時点における当該録画再生装置Ｙが，チャイルドロックモードである状態（ＯＮ状態）であるかその解除状態（ＯＦＦ状態）であるかを判別する（Ｓ２０１）。ここで，前記サブＭＰＵ２８は，前記ステップＳ１０１と同様に，その主メモリに記憶された前記モードフラグ情報がＯＮ値であるかＯＦＦ値であるかによって前記ＯＮ状態であるか前記ＯＦＦ状態であるかを判別する。前記モードフラグ情報の初期値はＯＦＦ値である。
【００３０】
［ステップＳ２０２〜Ｓ２０４］
そして，前記サブＭＰＵ２８が，前記チャイルドロックモードＯＦＦ状態であると判別した場合，そのサブＭＰＵ２８が，チャイルドロックモードへの移行条件である前述した２つの条件（前記第１ロック条件及び前記第２ロック条件）の成立を検知する処理を実行する（Ｓ２０２，Ｓ２０３）。さらに，前記制御回路２４が，もう１つの前記移行条件である第３ロック条件の成立を検知する処理を実行する（Ｓ２０４）。これら３つのロック条件それぞれの成立を検知する処理は，その条件のいずれかの成立が検知されるまで繰り返される（Ｓ２０２〜Ｓ２０４：前記条件検知手段の一例）。但し，前記制御回路２４による前記第３ロック条件の成立を検知する処理は，当該録画再生装置Ｙが前記稼動状態である場合にのみ実行される。
前記第１ロック条件及び前記第２ロック条件は，前述したように，それぞれ前記リモコン２７における前記ロックキー８ｅに対する長押し操作がなされたという条件，及び前記テレビジョン受像機Ｘから前記ＣＥＣライン４２及び前記ＣＥＣインターフェース２５ｂ（前記通信手段及び前記ＣＥＣ伝送手段の一例）を通じて前記チャイルドロックモードＯＮ指令コマンドが入力さたという条件である。
また，前記第３ロック条件は，前記録画・再生回路２２が，幼児向けの録画データ（ビデオ）を再生中又はこれから再生しようとしているという条件である。即ち，前記第３ロック条件は，前記録画・再生回路２２（前記映像再生手段の一例）が再生中（又はこれから再生する）の前記録画データ（映像データを含む）と対応付けられて，前記ハードディスクドライブ２３ａ又は前記ＤＶＤドライブ２３ｂにセットされたＤＶＤ（前記情報記録媒体の一例）に記録されている情報（以下，録画関連情報という）に，幼児向けのデータである旨の情報（予め設定されたロック対象情報の一例）が含まれているという条件である。ここで，前記録画関連情報は，例えば，前記録画データと対応付けられて記憶された番組タイトルの情報や，ＤＶＤのタイトル情報である。なお，この第３ロック条件を検知する前記制御回路２４が，前記第３条件検知手段の一例である。
【００３１】
より具体的には，前記制御回路２４は，ステップＳ２０４において，まず，前記リモコン２７により所定のビデオ再生開始操作がなされたか否かを検知する。前記ビデオ再生開始操作は，前記ハードディスクドライブ２３ａに録画された録画データ（映像データ及び音声データを含む），又は前記ＤＶＤドライブ２３ｂにセットされたＤＶＤに録画された録画データを再生する処理の開始操作である。
ここで，前記制御回路２４は，前記ビデオ再生開始操作がなされたことを検知すると，前記ハードディスクドライブ２３ａ又は前記ＤＶＤドライブ２３ｂにセットされたＤＶＤに，再生対象である録画データに関連づけられた前記録画関連情報を読み出し，例えば，その録画関連情報に「幼児」という文字列情報が含まれているか否かを判別することにより，前記第３ロック条件の成立を検知する。
なお，前記制御回路２４は，前記ビデオ再生開始操作がなされたことを検知すると，前記録画・再生回路２２を制御することにより，前記サブＭＰＵ２８から引き渡された操作情報に対応した録画データの再生処理（ビデオ再生処理）を開始させる。
【００３２】
［ステップＳ２０５〜Ｓ２０７］
そして，ステップＳ２０２〜Ｓ２０４において，前記チャイルドロックモードへの移行条件のいずれかの成立が検知されると，前記サブＭＰＵ２８は，その主メモリに記憶されている前記モードフラグ情報の値を，チャイルドロックモードのＯＮ状態を表すＯＮ値に設定（更新）する（Ｓ２０５）。その結果，当該録画再生装置Ｙは，前記チャイルドロックモードＯＮ状態となり，これ以後，前記サブＭＰＵ２８は，前述したように，前記ロックキー８ｅ以外の操作キーに対する操作を検知しても，それに対応する処理を実行しない（無視する）。
さらに，前記サブＭＰＵ２８は，前記ロック通知部３０を制御することにより，前記チャイルドロックモードＯＮ状態であることを通知するＬＥＤランプを点灯させる（Ｓ２０６）。
さらに，前記サブＭＰＵ２８は，前記ＣＥＣラインを通じて，このＣＥＣラインにより接続されている前記テレビジョン受像機Ｘに対し，前記チャイルドロックモードへの移行を指示するコマンドであるチャイルドロックモードＯＮ指令コマンドを送信する（Ｓ２０７）。
このように，前記サブＭＰＵ２８は，ステップＳ２０２〜Ｓ２０４において前記チャイルドロックモードへの移行条件の成立が検知された場合に，前記ＣＥＣライン４２を通じて外部の電子機器に対して前記チャイルドロックモードＯＮ指令コマンド送信する（Ｓ２０７，制限コマンド送信手段の一例）。また，そのコマンドを受信した前記テレビジョン受像機Ｘは，前述したように，前記チャイルドロックモードへの移行処理（Ｓ１０４）と，その他の録画再生装置Ｙへの前記チャイルドロックモードＯＮ指令コマンドの送信処理（Ｓ１０６）とを実行する。その結果，ＡＶシステムＺを構成する各機器が，一括して前記チャイルドロックモードに移行した状態となる。
【００３３】
［ステップＳ２０８〜Ｓ２１０］
一方，前記サブＭＰＵ２８が，ステップＳ２０１において前記チャイルドロックモードＯＮ状態であると判別した場合，或いは前記ステップＳ２０７の処理を実行した後，前記サブＭＰＵ２８及び前記制御回路２４が，チャイルドロックモードの解除条件である３つの条件のいずれかが成立したか否かを検知する処理を実行する（Ｓ２０８〜２１０）。
即ち，前記サブＭＰＵ２８が，前述した２つの解除条件（前記第１解除条件及び前記第２解除条件）のいずれかが成立したか否かを検知する処理を実行し（Ｓ２０８，Ｓ２０９），前記制御回路２４が，もう１つの解除条件である第３解除条件の成立を検知する処理を実行する（Ｓ２１０）。これら３つの解除条件それぞれの成立を検知する処理は，その条件のいずれかの成立が検知されるまで繰り返される（Ｓ２０８〜Ｓ２１０：前記条件検知手段の一例）。但し，前記制御回路２４による前記第３解除条件の成立を検知する処理は，当該録画再生装置Ｙが前記稼動状態である場合にのみ実行される。
前記第１解除条件及び前記第２解除条件は，前述したように，それぞれ前記リモコン２７における前記ロックキー８ｅに対する長押し操作がなされたという条件，及び前記テレビジョン受像機Ｘから前記ＣＥＣライン４２及び前記ＣＥＣインターフェース２５ｂ（前記通信手段及び前記ＣＥＣ伝送手段の一例）を通じて前記チャイルドロックモードＯＦＦ指令コマンドが入力さたという条件である。
また，前記第３解除条件は，ステップＳ２０４において幼児向けの録画データ（ビデオ）の再生開始が検知された場合に，その幼児向けの録画データの再生処理が終了した，あるいはその終了から予め定められた時間が経過したという条件である。なお，この第３解除条件を検知する前記制御回路２４が，前記第３条件検知手段の一例である。
【００３４】
［ステップＳ２１１〜Ｓ２１３］
そして，ステップＳ２０８〜Ｓ２１０において，前記チャイルドロックモードの解除条件のいずれかの成立が検知されると，前記サブＭＰＵ２８は，その主メモリに記憶されている前記モードフラグ情報の値を，前記チャイルドロックモードＯＦＦ状態を表すＯＦＦ値に設定（更新）する（Ｓ２１１）。その結果，当該録画再生装置Ｙは，前記チャイルドロックモードＯＦＦ状態となり，これ以後，前記サブＭＰＵ２８は，前述したように，前記ロックキー８ｅ以外の操作キーに対する操作を検知した場合，検知した操作に対応する処理を実行する状態となる。
さらに，前記サブＭＰＵ２８は，前記ロック通知部３０を制御することにより，前記チャイルドロックモードＯＮ状態であることを通知するＬＥＤランプを消灯させる（Ｓ２１２）。
さらに，前記サブＭＰＵ２８は，前記ＣＥＣラインを通じて，このＣＥＣラインにより接続されている前記テレビジョン受像機Ｘに対し，前記チャイルドロックモードＯＦＦ指令コマンドを送信する（Ｓ２１３）。
このように，前記サブＭＰＵ２８は，ステップＳ２０８〜Ｓ２１０において前記チャイルドロックモードの解除条件の成立が検知された場合に，ＨＤＭＩ規格におけるＣＥＣ規格に準拠した信号伝送手段であるＣＥＣライン４２を通じて外部の電子機器（テレビジョン受像機Ｘ）に対して前記チャイルドロックモードＯＦＦ指令コマンドを送信する（Ｓ２１３，解除コマンド送信手段の一例）。そのコマンドを受信した前記テレビジョン受像機Ｘは，前述したように，前記チャイルドロックモードの解除処理（Ｓ１０９）と，その他の録画再生装置Ｙへの前記チャイルドロックモードＯＦＦ指令コマンドの送信処理（Ｓ１１１）とを実行する。その結果，ＡＶシステムＺを構成する各機器が，一括して前記チャイルドロックモードの解除状態となる。
【００３５】
以上に示したように，前記サブＭＰＵ２８は，前記チャイルドロックモードへの移行条件の検知（Ｓ２０２〜Ｓ２０４）及びその解除条件の検知（Ｓ２０８〜Ｓ２１０）の結果に従って，前記チャイルドロックモード（機能制限モードの一例）への移行（Ｓ２０５）とその解除（Ｓ２１１）とを切り替える（前記機能制限制御手段の一例）。
また，前記テレビジョン受像機Ｘ及び前記録画再生装置Ｙは，自らが前記チャイルドロックモード（前記機能制限モードの一例）へ移行（Ｓ１０４，Ｓ２０５）又はその解除（Ｓ１０９，Ｓ２１１）を行う際に，ＣＥＣライン４２を通じて他の機器に対しても前記チャイルドロックモードへの移行を指示し（Ｓ１０６，Ｓ１１１，Ｓ２０７，Ｓ２１３），その指示を受けた機器も，前記チャイルドロックモードへの移行又はその解除を行う。
これにより，ユーザは，前記ＡＶシステムＺ全体のうち，前記テレビジョン受像機Ｘ又は前記録画再生装置Ｙのいずれかに対して前記チャイルドロックモードへの移行又はその解除のための操作を行えば，システム全体が一括して前記チャイルドロックモードの状態やその解除状態となる。その結果，複数の電子機器（ＡＶ機器）を前記チャイルドロックモードへ移行させたりそれを解除したりするために必要な操作が簡略化され，ＡＶシステムＺ全体の操作性が向上する。
【００３６】
以上に示した実施形態は，操作部に対する操作に応じた処理の実行を制限する機能制限モードの一例として，前記ロックキー８ｅ以外の全ての操作キーに対する操作について，その操作に対応する処理を実行しない前記チャイルドロックモードを示した。
しかしながら，例えば，一部の操作キー（例えば，前記数字キー８ｂや前記選局キー８ｄのみ等）に対応する処理のみを実行しない機能制限モードを採用することも考えられる。
また，例えば，前記音量キー８ｃの操作に対応する音量調節処理における音量調節範囲を，予め定められた音量範囲内に制限する等の機能制限モードを採用すること等も考えられる。
また，前述した実施形態においては，前記チャイルドロックモード（機能制限モード）への移行のための操作（機能制限操作）或いはその解除操作（機能制限解除操作）に用いる操作キーとして，それ専用の前記ロックキー８ｅが前記リモコン８，２７に設けられた例を示した。しかしながら，他の機能と兼用される操作キーを，前記機能制限操作や前記機能制限解除操作に用いる操作キーとして採用することも考えられる。この場合，例えばある操作キーの長押し操作や複数の操作キーの同時操作を，前記機能制限操作や前記機能制限解除操作として検知することが考えられる。
また，前記機能制限操作や前記機能制限解除操作に用いる操作キーとして，リモコン８，２７に設けられた操作キーの他，電子機器本体に設けられた操作ボタン等を採用することも考えられる。
【００３７】
また，前述した実施形態は，前記機能制限モードが前記チャイルドロックモードである場合の例，即ち，前記機能制限モード（チャイルドロックモード）であるときに，特定の操作部（前記電源キー８ａなど）に対する操作に応じた処理の実行を制限する機能を有するテレビジョン受像機Ｘについて示した。しかしながら，前記機能制限モードであるときの制限機能の具体例は，チャイルドロック機能以外も考えられる。
例えば，所定のＶチップ制限モード（前記機能制限モードの一例）であるときに，所定の選局操作に応じてある放送チャンネルが出力対象として選局された場合に，その放送チャンネルで放送中の放送番組が事前に設定された制限条件を満たすものであれば，その放送番組の出力（映像表示や音声出力）を制限するいわゆるＶチップ機能を備えた放送信号受信装置（テレビジョン受像機や録画再生装置など）に本発明を適用することも考えられる。
同様に，所定のペアレンタル制限モード（前記機能制限モードの一例）であるときに，サーバからインターネット等のネットワークを通じて所定のコンテンツ（Ｗｅｂページなど）が出力対象としてダウンロード（受信）された場合に，そのコンテンツが事前に設定された制限条件を満たすものであれば，そのコンテンツの出力（映像表示や音声出力）を制限するいわゆるペアレンタルコントロール機能を備えた電子機器に本発明を適用することも考えられる。
以下，自装置が前記Ｖチップモードもしくは前記ペアレンタル制限モードへの移行又はその解除を行う場合に，他の機器に対しても前記Ｖチップモードもしくは前記ペアレンタル制限モードへの移行又はその解除を行わせる機能を備えたテレビジョン受像機Ｘ１及びテレビジョン受像機Ｘ２について説明する。なお，テレビジョン受像機Ｘ１及びテレビジョン受像機Ｘ２も，図１のブロック図に示した前記テレビジョン受像機Ｘと同じ構成要素を備えている。
【００３８】
まず，前記Ｖチップモードへの一括移行及びその一括解除を行う機能を備えたテレビジョン受像機Ｘ１について説明する。
図３に示した処理において前記チャイルドロックモードを前記Ｖチップモードと置き換えた処理が，テレビジョン受像機Ｘ１及びその通信相手となる録画再生装置が実行する処理となる。
但し，テレビジョン受像機Ｘ２においては，図３におけるステップＳ１０２において，前記Ｖチップモードへ移行する第１の条件（前記第１ロック条件に相当）は，前記リモコン８の操作部の１つであるＶチップキー（前記ロックキー８ｅに相当）に対する操作がなされた後，予め前記ＥＥＰＲＯＭ６ｃに記憶（登録）されたパスワードが前記リモコン８の前記数字キー８ｂに対する操作により入力されたという条件である。
このことは，録画再生装置側のステップＳ２０２の処理についても同様である。
【００３９】
続いて，前記Ｖチップモードであるときのテレビジョン受像機Ｘ１の動作について説明する。
前記テレビジョン受像機Ｘ１においても，前記テレビジョン受像機Ｘと同様に，前記制御回路６及び前記チューナ１が，入力された放送信号について前記リモコン８に対する選局操作（チャンネル選択操作）に応じて放送チャンネルを選局する（前記選局手段の一例）。
また，前記映像処理回路４及び前記映像表示部５が，前記制御回路６及び前記チューナ１により選局された放送チャンネルで放送中の放送番組（以下，選択放送番組という）の内容（映像）を出力する（前記番組内容出力手段の一例）。同様に，前記音声処理回路１１及び前記スピーカ１３が，前記選択放送番組の内容（音声）を出力する（前記番組内容出力手段の一例）。
さらに，前記チューナ１は，放送信号に含まれる所定の視聴制限レベル情報を抽出し，その視聴制限レベル情報を前記制御回路６に伝送する機能を備えている。前記視聴制限レベル情報は，各放送チャンネルにおいて放送中の放送番組それぞれの視聴制限のレベルを表す情報であり，例えば，そのレベル値が低いほど低年齢の視聴者に対して制限なく視聴させても問題がないことを表し，レベル値が高いほど大人の視聴者に対してのみ視聴を制限すべきことを表す。
【００４０】
また，前記ＥＥＰＲＯＭ６ｃ（前記出力制限条件情報記憶手段の一例）には，放送番組の出力制限の条件に関する情報であるＶチップ設定レベル（前記出力制限条件情報の一例）が予め記憶されている。前記Ｖチップ設定レベルは，当該テレビジョン受像機Ｘ１の管理者（親）により，放送番組の視聴者（子）の年齢等に応じて設定される情報である。具体的には，前記制御回路６が，前記リモコン８により所定のＶチップレベル登録キー（不図示）の操作がなされた後，予め前記ＥＥＰＲＯＭ６ｃに記憶（登録）されたパスワードが前記リモコン８を通じて入力されたことを確認した場合に，前記リモコン８に対する操作に応じて前記Ｖチップ設定レベルを設定し，そのＶチップ設定レベルを前記ＥＥＰＲＯＭ６ｃに記録（登録）する。
そして，テレビジョン受像機Ｘ１における前記制御回路６は，前記Ｖチップモードであるときに，放送信号に含まれる前記選択放送番組に対応する前記視聴制限レベル情報と前記Ｖチップ設定レベルとを比較し，それらの大小関係が予め定められた制限条件（例えば，前記視聴制限レベル情報のレベル≧前記Ｖチップ設定レベル）を満たか否かを判別する。
さらに，前記制御回路６は，前記制限条件を満たすと判別した場合，前記映像処理回路４及び前記音声処理回路１１を制御することにより，前記選択放送番組の映像及び音声のそれぞれを前記映像表示部５及び前記スピーカ１３により出力するこをと禁止する（前記番組内容出力制限手段の一例）。このとき，前記制御回路６は，前記映像処理回路４を制御することにより，Ｖチップ機能によって出力制限がなされた旨を前記映像表示部５に表示させる。
【００４１】
次に，前記ペアレンタル制限モードへの一括移行及びその一括解除を行う機能を備えたテレビジョン受像機Ｘ２について説明する。
図３に示した処理において前記チャイルドロックモードを前記ペアレンタル制限モードと置き換えた処理が，テレビジョン受像機Ｘ２及びその通信相手となる録画再生装置が実行する処理となる。
但し，テレビジョン受像機Ｘ２においては，図３におけるステップＳ１０２において，前記ペアレンタル制限モードへ移行する第１の条件（前記第１ロック条件に相当）は，前記リモコン８の操作部の１つであるペアレンタル制限キー（前記ロックキー８ｅに相当）に対する操作がなされた後，予め前記ＥＥＰＲＯＭ６ｃに記憶（登録）されたパスワードが前記リモコン８の前記数字キー８ｂに対する操作により入力されたという条件である。
このことは，録画再生装置側のステップＳ２０２の処理についても同様である。
【００４２】
続いて，前記ペアレンタル制限モードであるときのテレビジョン受像機Ｘ２の動作について説明する。
テレビジョン受像機Ｘ２及びその通信相手となる録画再生装置は，図１に示す構成に加え，ＴＣＰ／ＩＰプロトコルによりインターネット上のサーバとの間で通信を行うネットワーク通信インターフェース（いわゆるＮＩＣ）を備えている（不図示）。
さらに，テレビジョン受像機Ｘ２における前記制御回路６は，コンテンツの取得及びその出力を行ういわゆるＷｅｂブラウザ機能を備えている。即ち，前記制御回路６は，前記リモコン８に対する操作に応じてインターネット上のサーバからインターネットを通じてコンテンツ（Ｗｅｂページなど）を取得し，そのコンテンツを前記ＥＥＰＲＯＭ６ｃ等に一時記憶する機能を備えている（前記コンテンツ取得手段の一例）。さらに，前記制御回路６は，前記映像処理回路４を制御することにより，取得したコンテンツの内容を映像化して前記映像表示部５に表示させる機能，及びそのコンテンツが音楽等の音響出力に関するコンテンツである場合にはそのコンテンツの内容を音響化して前記スピーカ１３により出力させる機能も備えている（前記コンテンツ出力手段の一例）。
【００４３】
また，前記ＥＥＰＲＯＭ６ｃ（前記出力制限条件情報記憶手段の一例）には，コンテンツの出力制限の条件に関する情報である出力制限キーワード（前記出力制限条件情報の一例）が予め記憶されている。前記出力制限キーワードは，当該テレビジョン受像機Ｘ２の管理者（親）により，放送番組の視聴者（子）の年齢等に応じて設定される情報であり，前記ペアレンタル制限モードにおいて，そのキーワードを含むコンテンツは出力制限の対象となる。具体的には，前記制御回路６が，前記リモコン８により所定の出力制限キーワード登録キー（不図示）の操作がなされた後，予め前記ＥＥＰＲＯＭ６ｃに記憶（登録）されたパスワードが前記リモコン８を通じて入力されたことを確認した場合に，前記リモコン８に対する操作に応じて前記出力制限キーワードを設定し，その設定情報を前記ＥＥＰＲＯＭ６ｃに記録（登録）する。
【００４４】
そして，テレビジョン受像機Ｘ２における前記制御回路６は，前記ペアレンタル制限モードであるときに，前記リモコン８に対する操作に応じてインターネット上のサーバから取得したコンテンツに，前記出力制限キーワードが含まれるか否かを判別する。さらに，前記制御回路６は，前記出力制限キーワードを含むと判別したコンテンツについては，前記映像処理回路４及び前記音声処理回路１１を制御することにより，そのコンテンツの内容を表す映像及び音声それぞれを前記映像表示部５及び前記スピーカ１３により出力するこをと禁止する（前記コンテンツ出力制限手段の一例）。このとき，前記制御回路６は，前記映像処理回路４を制御することにより，ペアレンタルコントロール機能によって出力制限がなされた旨を前記映像表示部５に表示させる。
以上に示したテレビジョン受像機Ｘ１及びＸ２も，前述したテレビジョン受像機Ｘと同様の作用効果を奏する。
【産業上の利用可能性】
【００４５】
本発明は，テレビジョン受像機や録画再生装置等の電子機器に利用可能である。
【図面の簡単な説明】
【００４６】
【図１】本発明の実施形態に係る電子機器の一例であるテレビジョン受像機Ｘ及び録画再生装置Ｙを含むＡＶシステムＺの概略構成を表すブロック図。
【図２】テレビジョン受像機Ｘが備えるリモコンのキー配置の一例を表す図。
【図３】ＡＶシステムＺにおけるチャイルドロック処理の手順を表すフローチャート。
【符号の説明】
【００４７】
Ｘ，Ｘ１，Ｘ２…テレビジョン受像機
Ｙ…録画再生装置
Ｚ…ＡＶシステム
Ｗ…ＨＤＭＩインターフェース
１，２１…チューナ
２ｘａ，２ｙａ…ＨＤＭＩ受信部
２ｘｂ，２５ｂ…ＣＥＣインターフェース
３…映像切替回路
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
１４，２９…通電切替回路
１５，３０…ロック通知部
２２…録画・再生回路
２３ａ…ＨＤＤ
２３ｂ…ＤＶＤドライブ
２５ａ…ＨＤＭＩ送信部
４０…ＨＤＭＩケーブル
４１…ＴＭＤＳライン
４２…ＣＥＣライン
Ｓ１０１，Ｓ１０２，〜…処理手順（ステップ）
【図１】
2008172747.tif 000003
【図２】
2008172747.tif 000004
【図３】
2008172747.tif 000005